(57)【要約】【課題】筆記具用レフィルの交換時等に回転カムが容易に落下せず、軸筒及び回転カムに使用する材料の幅が広いノック式筆記具を簡単な構造で提供する。【解決手段】回転カムによる出没機構を具備したノック式筆記具において、前記ペン先部が突出した状態で、前記回転カムの最大外径部より軸筒先端側に、軸筒の内外を連通する貫通孔を穿設し、該貫通孔に二色成形により弾性体を装着するとともに、該弾性体の最小内径を前記軸筒内径及び前記回転カムの最大外径より小さくすることにより、軸筒内壁面に軸心側に延びる凸部を弾性体により形成する。【選択図】          図１
2006347022.tif 000002
【特許請求の範囲】
【請求項１】
軸筒の内壁面に回転カムを前後に摺動案内し回転させるカム溝を形成し、該カム溝に回転カムを係合して配設し、前記軸筒の後端開口部より外方に突出して配設したノック体を押圧して、前記回転カムを前進させ、軸筒内にコイルスプリングにより軸筒後端側に付勢して収納した筆記具用レフィルのペン先部を軸筒先端開口部より出没可能とした回転カムによる出没機構を具備したノック式筆記具において、前記ペン先部が突出した状態で、前記回転カムの最大外径部より軸筒先端側に、軸筒の内外を連通する貫通孔を穿設し、該貫通孔に二色成形により弾性体を装着するとともに、該弾性体の最小内径を前記軸筒内径及び前記回転カムの最大外径より小さくすることにより、軸筒内壁面に軸心側に延びる凸部を弾性体により形成したことを特徴とするノック式筆記具。
【請求項２】
前記軸筒が、最大伸び率が５０％以下の樹脂材料からなることを特徴とする請求項１に記載のノック式筆記具。
【発明の詳細な説明】
【技術分野】
【０００１】
本発明は、ノック式筆記具に関し、さらに詳しくは、回転カムによる出没機構を具備したノック式筆記具に関する。
【背景技術】
【０００２】
従来から、軸筒の内壁面に回転カムを前後に摺動案内し回転させるカム溝を形成し、該カム溝に回転カムを係合して配設し、軸筒の後端開口部より外方に突出して配設したノック体を押圧することにより筆記具用レフィルのペン先部を軸筒先端開口部より出没可能とした回転カムからなる出没機構を具備したノック式筆記具についてはよく知られている。
【０００３】
こうした回転カムによる出没機構を具備したノック式筆記具において、本願出願人が特開２００３−６３１９２号公報「ノック式ボールペン」で開示したように、筆記具用レフィルの交換時等に回転カムが自重で落下しないように軸筒の内壁面に回転カムを先端側への移動を防止する凸部を軸筒と一体的に形成し、回転カムが凸部を乗り越して配設してある構造は知られている。
【０００４】
また、特開２０００−７９７８９号「ノック式筆記具」に図示されているように、回転カムをノック体や押し棒に係合する構造も知られている。
【特許文献１】特開２００３−６３１９２号公報
【特許文献２】特開２０００−７９７８９号公報
【非特許文献１】日本塑性加工学会「プラスチック成形加工データブック  日刊工業新聞社  昭和６３年」
【発明の開示】
【発明が解決しようとする課題】
【０００５】
しかし、特許文献１、２のように、軸筒やノック体のような筒体の成形時に、内壁面に凸部を一体的に形成するには、ＰＰ樹脂やＰＣ樹脂等の材料を用いる必要があり、透明性の優れたアクリル樹脂やＡＳ樹脂等は、軸筒の内壁面に凸部を一体的に形成する構造には不向きであった。これは、軸筒と一体的に凸部を成形するには、軸筒内に位置するコアピンを無理抜きして凸部を形成することが一般的であるが、こうした形成方法は、材料の最大延び率に影響があると考えられ、非特許文献１に開示されている最大伸び率の高い、ＰＰ樹脂（最大伸び率、１００％〜６００％）やＰＣ樹脂（最大伸び率、１１０％）に比べ、最大伸び率が小さい、アクリル樹脂（最大伸び率、２％〜１０％）やＡＳ樹脂（最大伸び率、２％〜３％）等は、無理抜きする時に凸部を削り取ってしまうため、軸筒内に凸部を形成し難いためと推測できる。
【０００６】
同様に、回転カムが凸部を乗り越える時に凸部が削り取る恐れがあるため、回転カムと、軸筒またはノック体の材料選定に考慮する必要がある等、使用できる材料の選定に苦慮することが多かった。
【０００７】
こうした問題を鑑みて、軸筒の内壁に凸部を付設することも考えられるが、軸筒の端部ではなく、カム溝より軸筒先端側の軸筒の内壁に凸部を付設することは困難であって、所望する位置に付設し難く、また、単に凸部を軸筒の内壁に付設しただけでは、回転カムの挿入時に凸部が軸心方向に移動し、位置ずれが生じてしまう恐れがあった。
【０００８】
本発明の目的は、筆記具用レフィルの交換時等に回転カムが容易に落下せず、軸筒及び回転カムに使用する材料の幅が広いノック式筆記具を簡単な構造で提供ことである。
【課題を解決するための手段】
【０００９】
本発明は軸筒の内壁面に回転カムを前後に摺動案内し回転させるカム溝を形成し、該カム溝に回転カムを係合して配設し、前記軸筒の後端開口部より外方に突出して配設したノック体を押圧して、前記回転カムを前進させ、軸筒内にコイルスプリングにより軸筒後端側に付勢して収納した筆記具用レフィルのペン先部を軸筒先端開口部より出没可能とした回転カムによる出没機構を具備したノック式筆記具において、前記ペン先部が突出した状態で、前記回転カムの最大外径部より軸筒先端側に、軸筒の内外を連通する貫通孔を穿設し、該貫通孔に二色成形により弾性体を装着するとともに、該弾性体の最小内径を前記軸筒内径及び前記回転カムの最大外径より小さくすることにより、軸筒内壁面に軸心側に延びる凸部を弾性体により形成したことを特徴とする。
【００１０】
また、前記軸筒が、最大伸び率が５０％以下の樹脂材料からなることを特徴とする。
【００１１】
尚、本発明の弾性体は、常温付近で自らゴム状弾性を有し、軸筒に二色成形可能な弾性体を選択して使用することができ、具体的には、オレフィン系エラストマー、スチレン系エラストマー、塩ビ系エラストマー、ウレタン系エラストマー等が例示できる。
【発明の効果】
【００１２】
筆記具用レフィルの交換時等に回転カムが容易に落下せず、軸筒及び回転カムに使用する材料の幅が広いノック式筆記具を簡単な構造で提供することができた。
【発明を実施するための最良の形態】
【００１３】
次に図面を参照しながら、本発明のノック式筆記具の実施例を説明するが、本発明は以下の実施例に限定されるものではない。
【実施例１】
【００１４】
図１から図５に示す本発明のノック式筆記具１は、アクリル樹脂からなる前軸２と後軸３を螺合して軸筒本体を構成し、後軸３内にＰＯＭ樹脂で形成した回転カム４からなる出没機構を具備している。この出没機構は、従来から知られているもので、簡単に説明すると、後軸３の後端部の内壁面に回転カム４を前後に摺動案内し回転させるためのカム溝（図示せず）を形成し、このカム溝に、回転カム４に形成した突起を係合して配設してある。回転カム４の後端には、回転カムを摺動し回転を付与するためのカム部を先端に有したノック体５を、後軸後端３ａの開口部より外方に突出した状態に配設した構造である。
【００１５】
回転カム４の前方には、筆記具用インキ（図示せず）を収容したインキ収容管８の先端部にボールペンチップ１０を、チップホルダー９を介して装着した筆記具用レフィル７をスプリング６により後軸後端３ａ方向へ付勢して、摺動自在に配設してあり、前軸２を取り外すことで、筆記具用レフィル７を交換可能としてある。また、前軸２の把持部にはグリップ部材１４を配設してある。
【００１６】
ノック式筆記具１を使用するには、ノック体５を押圧して回転カム４をカム溝（図示せず）に沿って前進させ、ノック体５のカム部の作用により回転カム４を回転させて、ボールペンチップ１０を前軸２の先端開口部２ａより突出させて使用することができる。さらにノック体５を押圧すると、ノック体５のカム部の作用により回転カム４を回転させ、スプリング６の付勢力によって回転カム４をカム溝（図示せず）に沿って後退させ、ボールペンチップを没入することができる。
【００１７】
後軸３の外壁には凹部１１を周設し、この凹部１１に軸心Ｊ対して対向する２個所に貫通孔１２を穿設してある。尚、貫通孔１２は、ボールペンチップ１０が突出した状態で、回転カム４の最大外径Ｍ部より軸筒先端開口部２ａ側に位置している。
【００１８】
この凹部１１及び貫通孔１２を閉鎖し、軸心Ｊ側の端面が、後軸３の内壁面３ｂより軸心Ｊ側に位置するように、熱可塑性エラストマーからなる弾性体１３を二色成形により後軸３と一体的に装着する。この時、弾性体１３の軸心Ｊ側の端面を後軸３の内壁面より軸心Ｊ側に位置させて、後軸３の内壁面３ｂから軸心Ｊ側に延びる凸部１３ａを形成してある。この凸部１３ａ間の最小内径Ｌは、回転カム４の最大外径Ｍより小さく（Ｌ＜Ｍ）してあるので、回転カム４が容易に落下することはない。
【００１９】
このように、二色成形により後軸３と一体的に凸部１３ａを付設することによって、所望の位置に凸部１３ａを付設することができ、凸部１３ａは貫通孔１２に連設してあるので、回転カム４の挿入時に凸部１３ａが外れたり、位置ずれを起こしたりすることはない。
【００２０】
また、凸部１３ａを弾性体１３で形成してあるので、回転カム４を挿入する時に回転カム４が凸部１３ａに当接しても、凸部１３ａは弾性変形し、凸部１３ａ間の間隙Ｍが広がるので、容易に回転カム４を後軸３内に配設することができ、凸部１３ａが元の状態に戻れば、回転カム４が容易に抜け落ちることもない。
【００２１】
尚、実施例では、凸部１３ａを円弧状としてあるが、凸部の形状は特に限定されるものではなく、回転カム４を前軸２の先端開口部２ａ側から挿入（図３の矢印Ｆ方向）しやすくするため、前軸２の先端開口部２ａ側の角度は小さく、回転カム４が抜けにくくするため、後軸３の後端３ａ側の傾斜角度を大きくすることが好ましい。また、貫通孔１２及び凸部１３ａの数も特に限定されるものではないが、少なくとも軸心Ｊに対して対向する２個所に形成することによって、回転カム４の挿入時に回転カム４が後軸３の内壁面と接触しにくくなり、組立性が向上するので好ましい。
【００２２】
本実施例では、便宜上、前軸と後軸を螺合して軸筒本体を得ているが、軸筒の後端部に出没機構を具備する構造であれば、軸筒の先端部に口先部材を螺合した構造等、特に限定されるものではない。また、本実施例では、軸筒としてアクリル樹脂を用いているが、軸筒として用いる材料は、ポリプロピレン、ポリエチレンテレフタレート、ポリカーボネート、ポリスチレン、アクリル樹脂、ＡＳ樹脂、ＡＢＳ樹脂等の樹脂材料等、特に限定されるものではないが、例えば、ＡＢＳ樹脂のような最大伸び率が５０％以下、特にＡＳ樹脂やアクリル樹脂のような最大伸び率が１０％以下の樹脂材料は、軸筒と一体に凸部を形成し難いので、本発明の効果は特に顕著である。
【産業上の利用可能性】
【００２３】
本発明のノック式筆記具は、使用する材料の制約が少ないので、例えば、透明性の高いアクリル樹脂を用いる等、ノック式筆記具として広く利用可能である。
【図面の簡単な説明】
【００２４】
【図１】実施例１のノック式筆記具を示す、縦断面図である。
【図２】図１におけるボールペンチップが突出した状態を示す、縦断面図である。
【図３】図２における一部省略した要部拡大図である。
【図４】図３を９０度回転させ、弾性体を装着する前の状態を示す外観図である。
【図５】図２におけるＡ−Ａ断面図である。
【符号の説明】
【００２５】
１  ノック式筆記具
２  前軸
３  後軸
４  回転カム
５  ノック体
７  筆記具用レフィル
１０  ボールペンチップ
１１  凹部
１２  貫通孔
１３  弾性体
１３ａ  凸部
Ｊ  軸心
【図１】
2006347022.tif 000003
【図２】
2006347022.tif 000004
【図３】
2006347022.tif 000005
【図４】
2006347022.tif 000006
【図５】
2006347022.tif 000007